(57)【要約】【課題】  ブラシ糸をループ状としつつ、該ブラシ糸の毛倒れを抑制することが可能なブラシ体を提供する。【解決手段】  ブラシ体を構成する該クリーニングブラシ３１は、基材３２と、同基材３２の表面で起毛されたブラシ毛３３とを備えている。当該ブラシ毛３３は、前記基材３２に対してループ状をなすように植毛された複数本のブラシ糸３４から構成されている。このブラシ糸３４の毛先は弧状をなしている。また、各ブラシ糸３４は、複数本の繊維を撚り合わせて得られたものであって、ループの形状が歪んでいる。そして、隣接する一対のブラシ糸３４は、毛先における接線のうち前記基材３２の表面と平行な面内で延びる接線を互いに交差させるように配置されている。【選択図】      図１
2005230732.tif 000002
【特許請求の範囲】
【請求項１】
基材と、該基材の表面で起毛されたブラシ毛とを備え、該ブラシ毛は複数本のブラシ糸から構成されたものであり、該ブラシ糸は前記基材に対してループ状に植毛されることで毛先を弧状としたものであるとともに、該ブラシ糸のうちの少なくとも１部は、隣接する一対がそれぞれの毛先における接線のうち前記基材の表面と平行な面内で延びる接線を互いに交差させるように配置されていることを特徴とするブラシ体。
【請求項２】
前記ブラシ糸は、複数本の繊維を右撚りで撚り合わせて得られた糸と、複数本の繊維を左撚りで撚り合わせて得られた糸との撚り方向が異なる２種類の糸から構成されたものであることを特徴とする請求項１に記載のブラシ体。
【請求項３】
前記ブラシ糸は、複数本の繊維を撚り方向が同じで撚り数が異なるように撚り合わせて得られた複数種類の糸から構成されたものであることを特徴とする請求項１に記載のブラシ体。
【請求項４】
前記ブラシ糸は、複数本の繊維を撚り数が１〜１０回／インチとなるように撚り合わせて得られたものであることを特徴とする請求項１から請求項３のいずれか一項に記載のブラシ体。
【発明の詳細な説明】
【技術分野】
【０００１】
本発明は、基材と同基材上で起毛されたブラシ毛とを備えるとともに、該ブラシ毛をループ状をなす複数本のブラシ糸で構成したブラシ体に関する。
【背景技術】
【０００２】
従来、特許文献１には、画像形成装置において転写後の感光体の表面を清掃するブラシ体が記載されている。このブラシ体は、ループパイルブラシを金属製の芯金に巻き付けて接着することによって形成されている。該ループパイルブラシは、基材に複数本のブラシ糸をループ状に織り込んで作製したものである。複数本のブラシ糸は、それぞれの毛先が弧状をなすとともに、ループパイルブラシを基材と直交する方向から平面視した状態で各毛先がそれぞれ同方向へ延びるように配置されている。そして、該ブラシ体は、ブラシ糸の毛先を感光体に線接触状態で接触させることにより、該ブラシ糸による感光体の傷つきを緩和するよう構成されている。
【特許文献１】特開平１−１１６６７７号公報
【発明の開示】
【発明が解決しようとする課題】
【０００３】
ところが、上記従来のブラシ体において、ブラシ糸は感光体に対して線接触という広い範囲で接触されることにより、感光体の回転による影響を受けやすくなっていた。そして、該影響を受けた前記複数本のブラシ糸は、全てが同じ方向（感光体の回転方向）へと毛倒れしてしまう。このようにブラシ糸が毛倒れした場合には、ブラシ体の径が小さくなって感光体へのブラシ糸の接触不良が生じたり、互いに折り重なって倒れたブラシ糸間にトナーが取り込まれて同トナーが感光体へ再付着したり等のような不具合を生じていた。
【０００４】
本発明は、このような従来技術に存在する問題点に着目してなされたものである。その目的とするところは、ブラシ糸をループ状としつつ、該ブラシ糸の毛倒れを抑制することが可能なブラシ体を提供することにある。
【課題を解決するための手段】
【０００５】
上記の目的を達成するために、請求項１に記載のブラシ体の発明は、基材と、該基材の表面で起毛されたブラシ毛とを備え、該ブラシ毛は複数本のブラシ糸から構成されたものであり、該ブラシ糸は前記基材に対してループ状に植毛されることで毛先を弧状としたものであるとともに、該ブラシ糸のうちの少なくとも１部は、隣接する一対がそれぞれの毛先における接線のうち前記基材の表面と平行な面内で延びる接線を互いに交差させるように配置されていることを要旨とする。
【０００６】
上記構成によれば、少なくとも１部のブラシ糸は、ブラシ糸を基材と直交する方向から見た状態で隣接する一対の各毛先の接線が互いに交差することから、それぞれの毛先が互いに交差する方向へ延びるように配置されている。ここで、一般の略直線状をなすブラシ糸は、何れの方向へも曲がりやすく、これに対しループ状をなすブラシ糸は、該ブラシ糸によって形成されるループが含まれる面と交差する方向へ曲がりやすい。従って、外力を受けたブラシ糸は、隣接する一対がそれぞれ交差する方向へ曲がろうとして、互いに支え合うこととなる。その結果、ブラシ糸をループ状としつつ、該ブラシ糸の毛倒れを抑制することが可能となる。
【０００７】
請求項２に記載のブラシ体の発明は、請求項１に記載の発明において、前記ブラシ糸は、複数本の繊維を右撚りで撚り合わせて得られた糸と、複数本の繊維を左撚りで撚り合わせて得られた糸との撚り方向が異なる２種類の糸から構成されたものであることを要旨とする。
【０００８】
上記構成によれば、右撚りで得られた糸と左撚りで得られた糸とは、繊維の撚り方向が反対であり、これら糸からなるブラシ糸によって形成されたループは、各糸でそれぞれ異なる方向へ歪む。従って、これら糸からなるブラシ糸は、基材と直交する方向から見た状態で、それぞれの毛先が互いに交差する方向へ確実に延びることとなる。その結果、該ブラシ糸の毛倒れを好適に抑制することが可能となる。
【０００９】
請求項３に記載のブラシ体の発明は、請求項１に記載の発明において、前記ブラシ糸は、複数本の繊維を撚り方向が同じで撚り数が異なるように撚り合わせて得られた複数種類の糸から構成されたものであることを要旨とする。
【００１０】
上記構成によれば、繊維の撚り方向を同じとしつつも、撚り数が異なるブラシ糸は、癖のつきやすい方向が異なる。その結果、基材と直交する方向から見た状態で、各毛先が互いに交差する方向へ延びるように、ブラシ糸を好適に配置することが可能となる。
【００１１】
請求項４に記載のブラシ体の発明は、請求項１から請求項３のいずれか一項に記載の発明において、前記ブラシ糸は、複数本の繊維を撚り数が１〜１０回／インチとなるように撚り合わせて得られたものであることを要旨とする。
【００１２】
上記構成によれば、ブラシ糸は、撚り数を１〜１０回／インチとすることで、繊維のほつれ、切れ等を抑えつつ、同繊維をまとめることができる。その結果、各ブラシ糸で癖のつきやすい方向が不均一となることを抑制することが可能となる。
【発明の効果】
【００１３】
本発明によれば、ブラシ糸をループ状としつつも、耐久性の向上を図ることが可能なブラシ体を提供することができる。
【発明を実施するための最良の形態】
【００１４】
以下、本発明を画像形成装置のクリーニングブラシに具体化した実施形態を図面に基づいて説明する。
まず、画像形成装置について説明する。図５に示すように、画像形成装置内には、被清掃体である感光ドラム１１が回転可能に支持されている。該感光ドラム１１の周囲には、帯電部１２、露光部１３、現像部１４、転写部１５、クリーニング部１６等が、同感光ドラム１１を内側に囲い込むように配設されている。前記帯電部１２は、感光ドラム１１の表面を帯電するものである。前記露光部１３は、感光ドラム１１の表面に静電潜像を形成するものである。前記現像部１４は、感光ドラム１１の表面にトナーを付着させ、静電潜像を現像し、トナーによる可視像を形成するものである。そして、前記転写部１５は、該可視像を感光ドラム１１の表面から記録用紙へ転写するものである。前記クリーニング部１６は、転写後に感光ドラム１１の表面で残留するトナーを除去するものである。該クリーニング部１６は、箱状をなすハウジング１７と、同ハウジング１７の内部に回転可能に支持されたブラシ体２１とを備えている。
【００１５】
図３に示すように、前記ブラシ体２１は、金属製の支軸２２と、当該支軸２２に螺旋状に巻回されて接着されたクリーニングブラシ３１とから、ロール状に形成されている。図１に示すように、該クリーニングブラシ３１は、基材３２と、同基材３２の表面で起毛されたブラシ毛３３とを備えている。前記基材３２は、織布から形成されている。前記ブラシ毛３３は、前記基材３２に植毛された複数本のブラシ糸３４から構成されている。また、基材３２の裏面にはコーティング層３５が設けられている。該コーティング層３５は、コーティング剤によって形成されたものである。そして、該コーティング剤が基材３２の糸間に含浸して硬化することにより、基材３２のほつれが抑制されるとともに、ブラシ糸３４の基端と基材３２とが接合されている。
【００１６】
図２に示すように、前記ブラシ糸３４は、前記基材３２に対し、ループ状をなすように織り込まれている。ループ状に織り込まれたブラシ糸３４は、基材３２の表面から立設された一対の基端部４１と、これら基端部４１の上端を結ぶ毛先４２とを備えており、同毛先４２は弧状をなしている。そして、前記ブラシ体２１は、該ブラシ糸３４の毛先４２を感光ドラム１１に摺接させることにより、該毛先４２で感光ドラム１１の表面から付着物であるトナーを掻き取るように構成されている。
【００１７】
当該ブラシ糸３４は、複数本の繊維を撚り合わせることによって形成されている。繊維の撚り合わせ方法としては、右撚りと左撚りとが挙げられる。右撚りとは、Ｓ撚りとも呼称され、Ｓ字を描くように各繊維を撚り合わせる方法である。一方、左撚りとは、Ｚ撚りとも呼称され、Ｚ字を描くように各繊維を撚り合わせる方法である。複数本の繊維を右撚りで撚り合わせて得られた糸と、複数本の繊維を左撚りで撚り合わせて得られた糸とは、それぞれの撚り方向が反対方向となる。そして、当該クリーニングブラシ３１のブラシ糸３４は、右撚りで得られたブラシ糸３４と、左撚りで得られたブラシ糸３４との２種類から構成されている。
【００１８】
当該クリーニングブラシ３１においては、前記基材３２に対し、右撚りで得られたブラシ糸３４と、左撚りで得られたブラシ糸３４とが該基材３２の短手方向（幅方向）で交互に並ぶように織り込まれている。従って、図２中に２点鎖線で示すように、各ブラシ糸３４の基端４１ａは、前記基材３２の長手方向に沿って並んでいる。なお、各ブラシ糸３４の基端４１ａは、前記基材３２の表面全体で千鳥状をなすように配設されている。
【００１９】
一方、各ブラシ糸３４は、複数本の繊維を撚り合わせて得られたものであることから、その撚りによって繊維に加わる応力等により、ループの形状が歪んだものとなる。このため、基材３２の表面に対して直交する方向から各ブラシ糸３４を見た際、基材３２が並ぶ方向と、毛先４２が延びる方向とは、異なる方向となる。また、繊維の撚り方向が異なれば、ループの形状が歪む方向も異なることとなる。従って、基材３２の表面に対して直交する方向から各ブラシ糸３４を見た際、右撚りで得られたブラシ糸３４と、左撚りで得られたブラシ糸３４とは、それぞれの毛先４２が延びる方向が逆方向となっている。
【００２０】
具体的に、ループ状をなすブラシ糸の毛先が延びる方向とは、弧状をなす毛先における接線のうち、基材の表面と平行な面内で延びる接線の方向を示す。例えば、図２に示したブラシ糸３４の場合、毛先４２における接線のうち前記基材３２の表面と平行な面内で延びるものは、該毛先４２によって描かれる弧の変曲点となる頂点４２ａにおける接線４２ｂである。そして、右撚りで得られたブラシ糸３４と、左撚りで得られたブラシ糸３４とは、それぞれの接線４２ｂが互いに交差している。
【００２１】
当該ブラシ糸３４は、複数本の繊維を撚り数が１〜１０回／インチとなるように撚り合わせて得られたものであることが好ましい。撚り数として、より好ましくは２〜６回／インチである。撚り数が１回／インチ未満の場合、繊維がまとまりにくく、基材３２へ織り込む際にブラシ糸３４がほつれてしまうおそれがある。撚り数が１０回／インチを超える場合、ブラシ糸３４が強撚調の歪んだ糸となりやすく、基材３２へ織り込みにくくなったり、糸切れ等を生じやすく、繊維屑を発生させやすくなった等するおそれがある。なお、複数本の繊維を撚り合わせた後、ブラシ糸３４にヒートセット処理を施すことで、撚り形態を好適に維持することが可能である。このヒートセット処理とは、撚糸後の糸を加熱して撚りを固定する処理である。
【００２２】
当該ブラシ糸３４に使用する繊維としては、合成繊維、半合成繊維、再生繊維等の化学繊維、天然繊維等が挙げられ、目的に応じて適宜選択され、使用される。例えば、合成繊維としては、ポリエチレン、ポリプロピレン等のオレフィン系樹脂、脂肪族ポリアミド（ナイロン）、芳香族ポリアミド（アラミド）等のアミド系樹脂及びポリエステル、ポリエチレンテレフタレート等のエステル系樹脂等で形成されたものが挙げられる。この他にも、ポリアクリル等のアクリル系樹脂等、テトラフルオロエチレン−パーフルオロアルキルビニルエーテル共重合体（ＰＦＡ）、ポリテトラフルオロエチレン（ＰＴＦＥ）等のフッ素樹脂等で形成されたものが挙げられる。再生繊維としては、レーヨン、キュプラ等が挙げられる。天然繊維としては、綿、絹等が挙げられる。
【００２３】
次に、上記ブラシ体２１の作用について説明する。
当該ブラシ体２１は、クリーニング部１６で一定方向へ回転されつつ、ループ状をなすブラシ糸３４を感光ドラム１１に摺接させることにより、その毛先で該感光ドラム１１の表面からトナーを掻き取り、該感光ドラム１１の清掃を行う。図４に示すように、ブラシ体２１は一定方向（図中の矢印方向）へ回転されることから、該ブラシ糸３４に対して外力は常に一定の方向から加わる。一方、当該ブラシ糸３４は、撚り方向の異なる２種類（右撚り及び左撚り）で構成されている。このため各ブラシ糸３４は、撚りによって繊維に加わる応力の方向等が異なっており、癖をつけやすい形状、ループが歪みやすい方向、外力に抗しやすい方向等の性状がそれぞれ異なる。そして、撚り方向の異なる２種類のブラシ糸３４のうち、一方のブラシ糸３４は、外力でループが歪むことにより、その毛先がブラシ体２１の回転方向と交差する方向へ延びる形状、つまり外力を受けやすい形状となる。これに対し、他方のブラシ糸３４は、一方のブラシ糸３４と異なる方向へループが歪むことにより、その毛先がブラシ体２１のほぼ回転方向へ延びる形状、つまり外力を受け流す形状となる。
【００２４】
各ブラシ糸３４において、一方のブラシ糸３４は、その毛先がブラシ体２１の回転方向と交差する方向へ延びることから、該回転方向でループが開放される。従って、当該一方のブラシ糸３４は、掻き取られたトナーをループ内に捕集することにより、良好な清掃性能を発揮する。当該一方のブラシ糸３４は、外力を受けて毛倒れしようとするとき、隣接する他方のブラシ糸３４に接触する。当該他方のブラシ糸３４は、外力を受け流す形状となることから、該外力によって毛倒れしにくく、基材３２の表面で立毛された状態を保持する。このため、当該他方のブラシ糸３４が一方のブラシ糸３４を支えることとなり、一方のブラシ糸３４も基材３２の表面で立毛された状態を保持する。
【００２５】
また、一方のブラシ糸３４が立毛された状態を保持することにより、当該ブラシ体２１は、捕集されたトナーの掻き出しにおいて良好な性能を発揮する。すなわち、掻き取られたトナーをループ内に捕集したままとした場合、やがて該ループ内にトナーを捕集しきれず、ループ内からトナーが漏出し、該トナーの感光ドラム１１への再付着が生じる。さらに、熱によりトナーが溶け、ブラシ糸３４同士を接着してしまうおそれもある。従って、捕集されたトナーをブラシ糸３４のループ内から掻き出す必要が生じる。従来のループ状をなすブラシ糸であれば、ブラシ糸が折り重なるように毛倒れすることで互いのループを閉じてしまい、ループ内にトナーが捕集されたままとなりやすい。これに対し、前記一方のブラシ糸３４は、立毛された状態が保持されることにより、ループが開放された状態で保持される。このため、当該一方のブラシ糸３４は、ループ内に捕集されたトナーを掻き出しやすいものとなる。
【００２６】
前記の実施形態によって発揮される効果について、以下に記載する。
・  実施形態のブラシ体２１によれば、撚り方向の異なる２種類のブラシ糸３４が用いられている。２種類のブラシ糸３４のうち、一方のブラシ糸３４は、トナーの掻き取りに好適な形状となるようにループ形状が歪み、他方のブラシ糸３４は、この一方のブラシ糸３４の支持に好適な形状となるようにループ形状が歪むこととなる。そして、他方のブラシ糸３４が一方のブラシ糸３４を支えることにより、ブラシ糸３４をループ状としつつ、該ブラシ糸３４の毛倒れを抑制することができる。
【００２７】
・  また、他方のブラシ糸３４が一方のブラシ糸３４を支えることにより、ループ内に捕集されたトナーの掻き出し性能が向上する。このため、ブラシ糸３４の毛倒れによる掻き取り性能の低下に加え、トナーによるブラシ糸３４同士の固着、漏出したトナーの再付着等をも抑制することが可能である。従って、ブラシ体２１の耐久性の向上を図ることができる。
【００２８】
・  また、撚り方向の異なる２種類のブラシ糸３４は、互いに異なる方向へ歪むため、他方のブラシ糸３４がほぼ確実に一方のブラシ糸３４を支える形状となり、ブラシ糸３４の毛倒れを好適に抑制することができる。
【００２９】
・  また、ブラシ糸３４の撚り数は、１〜１０回／インチとされており、繊維のほつれ、切れ等が抑えられつつ、繊維がまとまる。従って、各ブラシ糸３４で癖のつきやすい方向が不均一となることを抑制することができる。
【実施例】
【００３０】
以下、前記実施形態をさらに具体化した実施例について説明する。
（クリーニングブラシの作成）
実施例１として、基材に対して右撚り（Ｓ撚り）で得られたブラシ糸と、左撚り（Ｚ撚り）で得られたブラシ糸とを短手方向（タテ糸方向）に交互に織り込んでクリーニングブラシを形成し、該クリーニングブラシを支軸に螺旋状に巻回してブラシ体を作成した。各ブラシ糸は、アクリル繊維（東レ製のＳＡ−７）からなるものであり、太さが５５０デシテックス／２４フィラメントの２本の糸を右撚り又は左撚りして得られたものである。撚り数は、右撚り、左撚り共に６回／インチとした。そして、この実施例１ではブラシ糸の毛先は、右撚りのものと左撚りのものとが互いに交差する方向へ延びていた。
【００３１】
一方、比較例１として、実施例１で用いた右撚りで得られたブラシ糸のみを用いてブラシ体を形成した。この比較例１ではブラシ糸の毛先は、全て同じ方向へ延びていた。
（評価）
図６に示したような耐久試験機を用い、実施例１及び比較例１のブラシ体について毛倒れの評価を行った。この耐久試験機は、ブラシ体２１を支持しつつ回転させる駆動機構（図示しない）と、該ブラシ体２１が摺接される摺接体５１と、該ブラシ体２１に接触するフリッカー５２とを有している。該摺接体５１には、画像形成装置の感光体（感光ドラム）を想定し、金属板の表面をポリカーボネート等の合成樹脂で被覆したものを使用した。該フリッカー５２はブラシ体２１のブラシ毛に付着した付着物を払い落とすものである。
【００３２】
当該耐久試験機を使用し、ブラシ糸の毛先部分で先端から１ｍｍまでの範囲を前記摺接体５１に摺接させつつ、ブラシ体２１を回転数３００ｍｉｎ-1（３００ｒｐｍ）で３６０時間回転させた。そして、当該耐久試験機の使用前と使用後とでブラシ体の外径を測定し、その外径の変化から毛倒れについての評価を行った。なお、外径は、ブラシ体の任意の３箇所で測定し、その測定結果を平均することで算出した。
【００３３】
上記の結果、実施例１の外径は、使用前が１６．０９ｍｍであり、使用後が１６．００ｍｍであり、外径の変化率は９９．４２％であった。これに対し、比較例１の外径は、使用前が１６．０８ｍｍであり、使用後が１５．９２ｍｍであり、外径の変化率は９９．０５％であった。
【００３４】
また、実施例１及び比較例１のブラシ体について、使用後のものをマイクロスコープと目視とにより、毛倒れ及びブラシ糸の間の隙間について観察した。
その結果、比較例１については、ブラシ体全体でブラシ糸が大きく毛倒れしていた。また、トナーを掻き取らせた後に同様の観察を行ったところ、毛倒れしたブラシ糸同士の間には、支軸の軸線に沿って大きな溝が形成されており、この溝に沿ってトナーが漏出していた。また、溝に加え、クリーニングブラシの巻目（境目）が浮かび上がっていた。さらに、各ブラシ糸は、撚りがほつれかけており、撚りがほつれて形成された繊維の間にトナーが入り込んでいた。一方、実施例１については、目立った毛倒れはなく、トナーを掻き取らせた後にも比較例１で観察された溝、巻目の発生、繊維間へのトナーの入り込み等は観察されなかった。
【００３５】
これらの結果、実施例１ではブラシ糸同士が支え合うことにより、毛倒れしにくいものとなり、耐久性も向上するという結論が得られた。
なお、本実施形態は、次のように変更して具体化することも可能である。
【００３６】
・  ブラシ糸は、全ての撚り数を同じものとする必要はなく、例えば一部のブラシ糸は撚り数を１〜４回／インチとし、その他のブラシ糸は撚り数を５〜８回／インチ等とし、異なる撚り数のブラシ糸を用いてブラシ毛を構成してもよい。なお、異なる撚り数のブラシ糸を用いる場合、その撚り数は、好ましくは１〜１０回／インチであり、より好ましくは２〜６回／インチである。撚り数が１回／インチ未満の場合にはブラシ糸がほつれやすくなるおそれがあり、撚り数が１０回／インチを超える場合には糸切れ、繊維屑の発生等といった不具合が生じやすくなるおそれがある。また、繊維を撚り合わせた後、撚り形態を好適に維持するためにブラシ糸にヒートセット処理を施してもよい。
【００３７】
・  ブラシ糸同士の毛先を交差させることが可能であれば、ブラシ糸として撚り方向の異なる２種類を用いずともよい。撚り方向の異なる２種類を用いる以外に、ブラシ糸同士の毛先を交差させる方法として、複数本の繊維を撚り方向が同じで撚り数が異なるように撚り合わせて得られた複数種類のブラシ糸を用いる方法が挙げられる。この場合、撚り数の違いによって繊維に加わる応力等が異なることから、複数種類のブラシ糸は、癖をつけやすい形状、ループが歪みやすい方向、外力に抗しやすい方向等の性状がそれぞれ異なるものとなる。また、必ずしも全てのブラシ糸の毛先を交差させる必要はなく、少なくとも１部のブラシ糸がその毛先の延びる方向を交差させていればよく、例えば基材の幅方向で右撚りで得られたブラシ糸が２本に対し、左撚りで得られたブラシ糸が１本並ぶように構成する等してもよい。
【００３８】
・  クリーニングブラシは、ロール状のブラシ体として用いることに限らず、帯状としたまま、所定長さに切断する等して用いてもよい。
・  クリーニングブラシは、画像形成装置に内装されるものに限らず、表面に付着物が付着した被清掃体から該付着物をブラシ毛で掻き取るものであれば、何れの用途で用いてもよい。被清掃体から付着物を掻き取るものとして、例えば電気掃除機に取着されるクリーニングブラシが挙げられる。他に、付着物である微細粉粒体（粉末あるいは顆粒）の薬剤を包装する包装機等に設けられた粉粒体の送りローラ、工場の生産設備においてフィルム等の成型品を加工する際に成型品を搬送するコンベア等のクリーニングブラシとしてもよい。また、情報読取り装置等のレンズ、銀行の現金自動引出機のキャッシュカード挿入口、公衆電話機のテレホンカード挿入口、自動販売機の紙幣挿入口等といった読取り装置のシート挿入口等のクリーニングブラシとしてもよい。さらには、光ディスク、光磁気ディスク等の情報記録媒体から情報を読み取るためのレンズ、液晶ディスプレイ、有機ディスプレイ等の情報表示装置等の表面を清掃するクリーニングブラシ等としてもよい。
【００３９】
・  ブラシ糸に導電性を付与してもよい。例えば、トナーのように、帯電し、静電気によって感光ドラムに付着した付着物の場合、付着物から静電気を除電することにより、清掃性能の向上を図ることが可能となる。また、ブラシ糸に導電性を付与する方法としては、その材料である合成樹脂にニッケル等の金属、酸化亜鉛、酸化錫等の金属化合物、炭素（カーボン）等の微粒子等のような導電性物質を練り込む方法が挙げられる。
【００４０】
・  コーティング層を省略してクリーニングブラシを構成してもよい。
・  基材は、織布に限らず、地糸を編み上げて得られる編布、不織布、合成樹脂製のフィルム等のシート材で形成してもよい。なお、基材に編布を使用した場合、ブラシ糸はパイル編みで基材に編み込まれる。また、不織布、合成樹脂製のフィルム等のシート材を使用した場合、ブラシ糸は接着剤による接着、熱溶着超音波接着等の方法で基材に植毛される。
【００４１】
・  ブラシ糸に光触媒機能を付与してもよい。この光触媒機能は、ブラシ糸を構成する繊維の材料に光触媒粒子を練り込むことによって付与される。当該光触媒粒子としては、優れた光触媒能を有し、化学的に安定で、かつ相手部材に対して影響を与えにくいものを使用することが好ましく、このような条件を満たす材料として、酸化チタン（ＴｉＯ2）が挙げられる。このようにブラシ糸に光触媒機能を付与した場合、光の照射によって光触媒粒子の酸化還元力を発現させ、脱臭、除塵、殺菌、抗菌、抗カビ等のような衛生機能の向上を図ることができる。
【００４２】
さらに、前記実施形態より把握できる技術的思想について以下に記載する。
・  前記右撚りで得られたブラシ糸と、前記左撚りで得られたブラシ糸とが隣接するように配置したことを特徴とする請求項２又は請求項４に記載のブラシ体。
【００４３】
・  表面に付着物が付着した被清掃体に前記ブラシ毛を接触させ、該ブラシ毛で前記付着物を掻き取るように構成したことを特徴とする請求項１から請求項４のいずれか一項に記載のブラシ体。
【図面の簡単な説明】
【００４４】
【図１】実施形態のクリーニングブラシを示す斜視図。
【図２】実施形態のブラシ糸を示す斜視図。
【図３】実施形態のブラシ体を形成する状態を示す斜視図。
【図４】実施形態のブラシ体を示す平面図。
【図５】画像形成装置を示す概念図。
【図６】実施例の評価に用いた耐久試験機を示す概念図。
【符号の説明】
【００４５】
３１…クリーニングブラシ、３２…基材、３３…ブラシ毛、３３ａ…扁平繊維、３４…ブラシ糸、４２…毛先、４２ｂ…接線。
【図１】
2005230732.tif 000003
【図２】
2005230732.tif 000004
【図３】
2005230732.tif 000005
【図４】
2005230732.tif 000006
【図５】
2005230732.tif 000007
【図６】
2005230732.tif 000008